Podtech/llm-jp-corpus-v4-ja_patent huggingface dataset:
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
LPS破壊活性を有するカチオン性ペプチドストレッチが融合されたエンドリシンを含むエンドリシン変異体であって、
該カチオン性ペプチドストレッチが、5〜100個のアミノ酸残基を含み、ならびに該ペプチドストレッチ中に含まれる少なくとも70%のアミノ酸残基が、アルギニン、および/またはリジンであり、かつ0%〜30%がセリン、および/またはグリシンである、前記エンドリシン変異体。
【請求項２】
ペプチドストレッチが、5個〜50個のアミノ酸残基、とりわけ5個〜30個のアミノ酸残基を含む、前記請求項のいずれか一項記載のエンドリシン変異体。
【請求項３】
ペプチドストレッチが、エンドリシンのN末端および/またはC末端、とりわけエンドリシンのN末端に融合される、前記請求項のいずれか一項記載のエンドリシン変異体。
【請求項４】
エンドリシンが、グラム陰性細菌の細胞壁、とりわけ以下：
腸内細菌科（Enterobacteriaceae）
とりわけエシェリキア属（Escherichia）、サルモネラ属（Salmonella）、シゲラ属（Shigella）、シトロバクター属（Citrobacter）、エドワージエラ属（Edwardsiella）、エンテロバクター属（Enterobacter）、ハフニア属（Hafnia）、クレブシエラ属（Klebsiella）、モルガネラ属（Morganella）、プロテウス属（Proteus）、プロビデンシア属（Providencia）、セラチア属（Serratia）、およびエルシニア属（Yersinia）、
シュードモナス科（Pseudomonadaceae）
とりわけシュードモナス属（Pseudomonas）、バークホルデリア属（Burkholderia）、ステノトロホモナス属（Stenotrophomonas）、シュワネラ属（Shewanella）、スフィンゴモナス属（Sphingomonas）、およびコマモナス属（Comamonas）、
ナイセリア属（Neisseria）、モラクセラ属（Moraxella）、ビブリオ属（Vibrio）、アエロモナス属（Aeromonas）、ブルセラ属（Brucella）、フランシセラ属（Francisella）、ボルデテラ属（Bordetella）、レジオネラ属（Legionella）、バルトネラ属（Bartonella）、コクシエラ属（Coxiella）、ヘモフィルス属（Haemophilus）、パスツレラ属（Pasteurella）、マンヘミア属（Mannheimia）、アクチノバチルス属（Actinobacillus）、ガードネレラ属（Gardnerella）、
スピロヘータ科（Spirochaetaceae）
とりわけトレポネーマ属（Treponema）およびボレリア属（Borrelia）、
レプトスピラ科（Leptospiraceae）、カンピロバクター属（Campylobacter）、ヘリコバクター属（Helicobacter）、スピリルム属（Spirillum）、ストレプトバシラス属（Streptobacillus）、
バクテロイデス科（Bacteroidaceae）
とりわけバクテロイデス属（Bacteroides）、フゾバクテリウム属（Fusobacterium）、プレボテラ属（Prevotella）、およびポルフィロモナス属（Porphyromonas）、ならびに
アシネトバクター属（Acinetobacter）、
とりわけA. バウマニ（A. baumanii）
からなる群より選択されるグラム陰性細菌の細胞壁を分解する活性を有する、前記請求項のいずれか一項記載のエンドリシン変異体。
【請求項５】
エンドリシンが、SEQ ID NO：1のphiKZgp144、SEQ ID NO：2のELgp188、SEQ ID NO：3のサルモネラのエンドリシン、SEQ ID NO：4の腸内細菌ファージT4のエンドリシン、SEQ ID NO：5のアシネトバクター・バウマニのエンドリシン、SEQ ID NO：6の大腸菌ファージK1Fのエンドリシン、SEQ ID NO：8のPSP3サルモネラのエンドリシン、およびSEQ ID NO：9の大腸菌ファージP2のエンドリシンからなる群より選択される、前記請求項のいずれか一項記載のエンドリシン変異体。
【請求項６】
ペプチドストレッチが、少なくとも一つのKRKモチーフを含み、とりわけ該ペプチドストレッチが、SEQ ID NO：10〜30からなる群より選択される配列からなる、前記請求項のいずれか一項記載のエンドリシン変異体。
【請求項７】
SEQ ID NO：35〜49、53、57、62〜64、および66〜78からなる群より選択されるアミノ酸配列を含む、前記請求項のいずれか一項記載のエンドリシン変異体。
【請求項８】
請求項1〜7のいずれか一項記載のエンドリシン変異体をコードするヌクレオチド配列を含む、単離された核酸分子。
【請求項９】
請求項8記載の核酸分子を含む、ベクター。
【請求項１０】
とりわけ細菌細胞または酵母細胞である、請求項8記載の核酸分子もしくは請求項9記載のベクターを含む、宿主細胞。
【請求項１１】
請求項10記載の宿主細胞におけるエンドリシン変異体の発現を含む、請求項1〜7のいずれか一項記載のエンドリシン変異体を産生する方法。
【請求項１２】
医用薬剤としての使用のための、請求項1〜7のいずれか一項記載のエンドリシン変異体。
【請求項１３】
グラム陰性細菌感染症の処置用の医用薬剤としての使用のための、請求項1〜7のいずれか一項記載のエンドリシン変異体。
【請求項１４】
診断手段、殺菌剤または美容用物質としての、請求項1〜7のいずれか一項記載のエンドリシン変異体の使用。
【請求項１５】
食材の、食品加工器具の、食品加工設備の、食材と接触する表面の、医療装置の、病院および手術室の表面の、グラム陰性細菌の汚染の除去、減少ならびに/または予防のための、請求項1〜7のいずれか一項記載のエンドリシン変異体の使用。
【請求項１６】
医薬、食品、または飼料、もしくは環境診断における診断手段としての、請求項1〜7のいずれか一項記載のエンドリシン変異体の使用。
【請求項１７】
抗生物質、ランチビオティクス、またはバクテリオシンと組み合わせて使用される、請求項12もしくは13に記載の使用または請求項15に記載の使用のためのエンドリシン変異体。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
ａ）膜ろ過前または膜ろ過と同時に、乳原料中の乳糖を加水分解し、
ｂ）工程ａ）で得られた１以上のフラクションの少なくとも一部を膜技術によってさらに処理し、
ｃ）所望により、工程ａ）および／またはｂ）で得られた１以上のフラクションの少なくとも一部を蒸発および／またはクロマトグラフィー分離に付して、タンパク質、糖類およびミネラルを異なるフラクションに分離し、
ｄ）工程ａ）で得られた１以上のフラクションおよび／または工程ｂ）で得られた１以上のフラクション、およびおそらく工程ｃ）で得られた１以上のフラクション、および他の成分から、実質的に水を加えることなしに、所望の組成および甘味を有する乳製品を構成し、ここに、該構成された乳製品中のいずれの残留乳糖を加水分解するためにラクターゼ酵素を該製品に加えることはなく、
ｅ）所望により、工程ｄ）で得られた製品を濃縮物または粉末に濃縮する
ことを含む、無乳糖または低乳糖乳製品の製造方法。
【請求項２】
乳原料中の乳糖が部分的に加水分解されている、請求項１記載の方法。
【請求項３】
部分加水分解乳原料の乳糖加水分解が持続すると同時に、部分加水分解乳原料が膜技術により、タンパク質、糖類およびミネラルを含有するフラクションに分離される、請求項２記載の方法。
【請求項４】
工程ａ）の膜ろ過が限外ろ過である、請求項１〜３のいずれか１項記載の方法。
【請求項５】
限外ろ過において得られたＵＦ通過物をさらにナノろ過によって処理して、ＮＦ保持物およびＮＦ通過物を得る、請求項４記載の方法。
【請求項６】
ＮＦ通過物が工程ａ）および／またはｂ）において、ダイアフィルトレーションのダイアウォーターとして使用される、請求項５記載の方法。
【請求項７】
限外ろ過で得られたＵＦ保持物およびＮＦ通過物を工程ａ）で処理すべき乳原料にリサイクルする、請求項５記載の方法。
【請求項８】
実質的に水を添加することなしに工程ｄ）において製品を構成する、請求項１〜７のいずれか１項記載の方法。
【請求項９】
加水分解された乳原料の膜ろ過工程において得られたＲＯ通過物またはＮＦ通過物、または加水分解された乳原料の蒸発において得られた凝縮水が乳製品の構成における液体として用いられる、請求項８記載の方法。
【請求項１０】
加水分解された乳原料の限外ろ過通過物のナノろ過から生じるＮＦ通過物を液体として用いる、請求項９記載の方法。
【請求項１１】
加水分解された乳原料の少なくとも２回の膜ろ過から得られる加水分解乳原料の少なくとも２つのフラクションを含有する無乳糖または低乳糖乳製品。
【請求項１２】
ＵＦ保持、ＵＦ通過、ＮＦ保持、ＮＦ通過、ＤＦ保持、ＤＦ通過、ＲＯ保持およびＲＯ通過フラクションの少なくとも１つを含む、請求項１１記載の乳製品。
【請求項１３】
ＤＦ保持物を含む、請求項１２記載の乳製品。
【請求項１４】
ａ）膜ろ過前または膜ろ過と同時に、乳原料中の乳糖を加水分解し、
ｂ）工程ａ）で得られた１以上のフラクションの少なくとも一部をさらに膜技術によって処理し、
ｃ）所望により、工程ａ）および／またはｂ）で得られた１以上のフラクションの少なくとも一部を蒸発および／またはクロマトグラフィー分離に付して、タンパク質、糖類およびミネラルを異なるフラクションに分離し、
ｄ）工程ａ）で得られた１以上のフラクションおよび／または工程ｂ）で得られた１以上のフラクション、およびおそらく工程ｃ）で得られた１以上のフラクション、および他の成分から、実質的に水を加えることなしに、所望の組成および甘味を有する乳製品を構成し、ここに、該構成された乳製品中のいずれの残留乳糖を加水分解するためにラクターゼ酵素を該製品に加えることはなく、
ｅ）所望により、工程ｄ）で得られた製品を濃縮物または粉末に濃縮する
工程を含む方法によって得られた無乳糖または低乳糖乳製品。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
変異体ハエにおける下方調節された遺伝子の遺伝子スクリーニングによる、遅発性神経変性プロセスに関与する遺伝子の同定のための方法であって、
ｉ）野生型非変異体ハエにおける、生涯初期の時点で、および成体期の中間ステージで、明暗条件の交互周期およびその後の定常暗期における自発運動活性の標準的な周期性を評価すること；
ｉｉ）特異的トランスポゾンによるランダム挿入変異誘発により変異体ハエのコレクションを作製すること、およびその後に、前記トランスポゾンにおける認識部位により転写因子を調節する組織特異的な神経性発現プロモーターを含むトランスジェニック系統に交雑すること；
ｉｉｉ）工程（ｉｉ）において作製された変異体ハエにおける、生涯初期の時点で、および成体期の中間ステージで、明暗条件の交互周期およびその後の定常暗期における自発運動活性の周期性を評価すること；
ｉｖ）前記成体期の中間ステージにおける標準的な周期性に関して逸脱を示す変異個体を検出および選択すること；
ｖ）前記トランスポゾン挿入部位を同定すること；ならびに
ｖｉ）前記挿入によりトラップされる遺伝子を同定すること
を含むことにより特徴づけられる、前記方法。
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
（ｉ）第二の融合相手に直接融合されるか、あるいは（ｉｉ）第二の融合相手と融合されているリンカーペプチドまたはポリペプチド配列と融合されていてもよい、Ｔ細胞共刺激ポリペプチドまたはその断片および／もしくは変異体を含んでなる第一の融合相手を含んでなる融合タンパク質であって、
該共刺激分子またはその共刺激断片および／または変異体がＴ細胞の抗原特異的増殖を増大させるか、Ｔ細胞によるサイトカイン産生を増強するか、Ｔ細胞の分化またはエフェクター機能を刺激するか、またはＴ細胞の生存を促進し、かつ
第二の融合相手が、該融合タンパク質を、腫瘍細胞、腫瘍血管系または免疫応答の活性化に関与する組織に標的化するポリペプチドを含んでなる、融合タンパク質。
【請求項２】
共刺激分子がＢ７−ＤＣ、Ｂ７−１、Ｂ７−２、Ｂ７−Ｈ５、ならびにその断片および／または変異体からなる群から選択される、請求項１に記載の融合タンパク質。
【請求項３】
Ｂ７−ＤＣポリペプチドがネズミＢ７−ＤＣである、請求項２に記載の融合タンパク質。
【請求項４】
Ｂ７−ＤＣポリペプチドがヒトＢ７−ＤＣである、請求項２に記載の融合タンパク質。
【請求項５】
Ｂ７−ＤＣポリペプチドが非ヒト霊長類Ｂ７−ＤＣである、請求項２に記載の融合タンパク質。
【請求項６】
第二の融合相手が、腫瘍特異的抗原または腫瘍関連抗原と結合するポリペプチドを含んでなる、請求項１に記載の融合タンパク質。
【請求項７】
腫瘍特異的抗原または腫瘍関連抗原が、α−アクチニン−４、Ｂｃｒ−Ａｂｌ融合タンパク質、Ｃａｓｐ−８、β−カテニン、ｃｄｃ２７、ｃｄｋ４、ｃｄｋｎ２ａ、ｃｏａ−１、ｄｅｋ−ｃａｎ融合タンパク質、ＥＦ２、ＥＴＶ６−ＡＭＬ１融合タンパク質、ＬＤＬＲ−フコシルトランスフェラーゼＡＳ融合タンパク質、ＨＬＡ−Ａ２、ＨＬＡ−Ａ１１、ｈｓｐ７０−２、ＫＩＡＡＯ２０５、Ｍａｒｔ２、Ｍｕｍ−１、２および３、ネオ−ＰＡＰ、ミオシンクラスＩ、ＯＳ−９、ｐｍｌ−ＲＡＲα融合タンパク質、ＰＴＰＲＫ、Ｋ−ｒａｓ、Ｎ−ｒａｓ、トリオースリン酸イソメラーゼ、Ｂａｇｅ−１、Ｇａｇｅ３、４、５、６、７、ＧｎＴＶ、Ｈｅｒｖ−Ｋ−ｍｅｌ、Ｌａｇｅ−１、Ｍａｇｅ−Ａ１、２、３、４、６、１０、１２、Ｍａｇｅ−Ｃ２、ＮＡ−８８、ＮＹ−Ｅｓｏ−１／Ｌａｇｅ−２、ＳＰ１７、ＳＳＸ−２およびＴＲＰ２−Ｉｎｔ２、ＭｅｌａｎＡ（ＭＡＲＴ−Ｉ）、ｇｐ１００（Ｐｍｅｌ  １７）、チロシナーゼ、ＴＲＰ−１、ＴＲＰ−２、ＭＡＧＥ−１、ＭＡＧＥ−３、ＢＡＧＥ、ＧＡＧＥ−１、ＧＡＧＥ−２、ｐ１５（５８）、ＣＥＡ、ＲＡＧＥ、ＮＹ−ＥＳＯ（ＬＡＧＥ）、ＳＣＰ−１、Ｈｏｍ／Ｍｅｌ−４０、ＰＲＡＭＥ、ｐ５３、Ｈ−Ｒａｓ、ＨＥＲ−２／ｎｅｕ、ＢＣＲ−ＡＢＬ、Ｅ２Ａ−ＰＲＬ、Ｈ４−ＲＥＴ、ＩＧＨ−ＩＧＫ、ＭＹＬ−ＲＡＲ、エプスタイン・バーウイルス抗原、ＥＢＮＡ、ヒト乳頭腫ウイルス（ＨＰＶ）抗原Ｅ６およびＥ７、ＴＳＰ−１８０、ＭＡＧＥ−４、ＭＡＧＥ−５、ＭＡＧＥ−６、ｐ１８５ｅｒｂＢ２、ｐ１８０ｅｒｂＢ−３、ｃ−ｍｅｔ、ｎｍ−２３Ｈ１、ＰＳＡ、ＴＡＧ−７２−４、ＣＡ  １９−９、ＣＡ  ７２−４、ＣＡＭ  １７．１、ＮｕＭａ、Ｋ−ｒａｓ、β−カテニン、ＣＤＫ４、Ｍｕｍ−１、ｐ１６、ＴＡＧＥ、ＰＳＭＡ、ＰＳＣＡ、ＣＴ７、テロメラーゼ、４３−９Ｆ、５Ｔ４、７９１Ｔｇｐ７２、α−フェトタンパク質、１３ＨＣＧ、ＢＣＡ２２５、ＢＴＡＡ、ＣＡ  １２５、ＣＡ  １５−３（ＣＡ  ２７．２９＼ＢＣＡＡ）、ＣＡ  １９５、ＣＡ  ２４２、ＣＡ−５０、ＣＡＭ４３、ＣＤ６８＼ＫＰ１、ＣＯ−０２９、ＦＧＦ−５、Ｇ２５０、Ｇａ７３３（ＥｐＣＡＭ）、ＨＴｇｐ−１７５、Ｍ３４４、ＭＡ−５０、ＭＧ７−Ａｇ、ＭＯＶ１８、ＮＢ＼７０Ｋ、ＮＹ−ＣＯ−１、ＲＣＡＳ１、ＳＤＣＣＡＧ１６、ＴＡ−９０（Ｍａｃ−２結合タンパク質＼シクロフィリンＣ関連タンパク質）、ＴＡＡＬ６、ＴＡＧ７２、ＴＬＰおよびＴＰＳからなる群から選択される、請求項６に記載の融合タンパク質。
【請求項８】
リンカーペプチドまたはポリペプチドが、ヒト免疫グロブリンのヒンジ領域を含んでなり、場合により、Ｆｃドメイン、ＣＨ１領域またはＣＬ領域からなる群から選択される免疫グロブリンのさらなる領域をさらに含んでなる、請求項１に記載の融合タンパク質。
【請求項９】
融合タンパク質の二量体化または多量体化を媒介してホモ二量体、ヘテロ二量体、ホモ多量体またはヘテロ多量体を形成するドメインをさらに含んでなる、請求項１に記載の融合タンパク質。
【請求項１０】
二量体化または多量体化を媒介するドメインが、相手の融合タンパク質上のシステインと分子間ジスルフィド結合を形成することができる１以上のシステイン、コイルドコイルドメイン、酸パッチ、ジンクフィンガードメイン、カルシウムハンドドメイン、ＣＨ１領域、ＣＬ領域、ロイシンジッパードメイン、ＳＨ２（ｓｒｃホモロジー２）ドメイン、ＳＨ３（ｓｒｃホモロジー３）ドメイン、ＰＴＢ（ホスホチロシン結合）ドメイン、ＷＷドメイン、ＰＤＺドメイン、１４−３−３ドメイン、ＷＤ４０ドメイン、ＥＨドメイン、Ｌｉｍドメイン、イソロイシンジッパードメイン、および受容体二量体対の二量体化ドメインからなる群から選択される、請求項９に記載の融合タンパク質。
【請求項１１】
請求項１に記載の融合タンパク質をコードする核酸配列を含んでなる、単離された核酸分子。
【請求項１２】
請求項１１に記載の核酸を含んでなる、ベクター。
【請求項１３】
前記核酸配列が発現制御配列に機能的に連結されている、請求項１２に記載のベクター。
【請求項１４】
請求項１３に記載のベクターを含んでなる、宿主細胞。
【請求項１５】
抗原またはワクチンの免疫原性を増強するために抗原またはワクチンとともに用いられる医薬組成物であって、
ａ）請求項１に記載の単離された融合タンパク質、二量体タンパク質または多量体タンパク質と、
ｂ）薬学上および免疫学上許容される賦形剤または担体と
を含んでなる、医薬組成物。
【請求項１６】
腫瘍に対するＴ細胞免疫応答を誘導するのに有用な免疫原組成物であって、
（ａ）免疫応答が望まれる抗原の供給源；
（ｂ）請求項１に記載の融合タンパク質、二量体タンパク質または多量体タンパク質；
（ｃ）任意で、免疫刺激剤またはアジュバント；および
（ｄ）（ａ）、（ｂ）および任意選択の（ｃ）のための、薬学上および免疫学上許容される賦形剤または担体
を含んでなる、免疫原組成物。
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
対象物を検知するための検知装置であって、当該検知装置は、対象物の特性を検知するための検知素子のアレンジメントを有し、前記検知素子は、前記検知素子が前記対象物と接触している間、検知が実施可能である接触モードと、前記検知素子が前記対象物と接触されていない間、検知が実施可能である非接触モードとで動作可能であり、前記検知素子は、決定されるべき特性に依存する電気的信号を取得し、前記検知装置は、前記検知素子が前記非接触モードである場合、非接触モードフィルタリングを実施し、前記対象物の特性が決定されるべき前記対象物の表面へフィルタリングされた電気的信号をトランスフォームし、前記検知素子が前記接触モードである場合、接触モードフィルタリングを実施する電気的信号処理ユニットを有する、検知装置。
【請求項２】
前記検知装置は、更に、検知素子が前記対象物と接触しているかどうかを決定するためのモード決定ユニットを有する、請求項１に記載の検知装置。
【請求項３】
前記検知素子は、前記検知素子が前記非接触モードにある場合、ユニポーラ取得を実施することにより、決定されるべき特性に依存する電気的信号を取得し、前記検知素子が前記接触モードにある場合、ユニポーラ又はバイポーラ取得を実施することにより、電位に依存する電気的信号を取得する、請求項１に記載の検知装置。
【請求項４】
前記対象物の内部を検知するため前記対象物の内部に前記検知素子をガイドするため、少なくとも前記検知素子の前記アレンジメントを含むチューブを更に有する、請求項１に記載の検知装置。
【請求項５】
前記検知装置は、検知素子の前記アレンジメントを保持するための保持構造を有し、前記検知素子は前記保持構造上に配され、前記保持構造は、閉じた状態と少なくとも一つの開いた状態との間で調整可能であり、前記保持構造は前記閉じた状態で長手形状を有する、請求項１に記載の検知装置。
【請求項６】
前記保持構造は、第１の開かれた状態で前記検知素子間のスペーシングが、第２の開かれた状態で前記検知素子間のスペーシングと異なるように前記検知素子が配されるのに適している、請求項５に記載の検知装置。
【請求項７】
前記検知素子がエネルギーを付与し、エネルギーを受信する、請求項１に記載の検知装置。
【請求項８】
画像装置で視覚化されるためのマーカーを有する、請求項１に記載の検知装置。
【請求項９】
前記検知装置は、前記対象物のモデル及び前記検知素子を位置合わせするための位置合わせユニットを更に有する、請求項８に記載の検知装置。
【請求項１０】
対象物の特性を検知するための検知方法であって、非接触モードで前記検知素子が前記対象物と接触していない間、検知素子のアレンジメントを使用することにより前記対象物の特性を検知するステップと、接触モードで前記検知素子が前記対象物と接触している間、検知素子の前記アレンジメントを使用することにより前記対象物の特性を検知するステップとを有し、決定されるべき特性に依存する電気的信号が前記検知素子により取得され、前記検知素子が前記非接触モードである場合、非接触モードフィルタリングが実施され、前記対象物の特性が決定されるべき前記対象物の表面へフィルタリングされた電気的信号がトランスフォームされ、前記検知素子が前記接触モードである場合、電気的信号処理ユニットにより接触モードフィルタリングが実施される、検知方法。
【請求項１１】
前記検知方法は、前記非接触モードで検知した後で、前記接触モードで検知する前に、前記非接触モードで検知された特性に基づいて、前記対象物の対象の領域を決定するステップと、前記検知素子を対象の前記領域内の前記対象物へ接触させるステップとを更に有する、請求項１０に記載の検知方法。
【請求項１２】
コンピュータプログラムが前記検知装置を制御するコンピュータを走らせるとき、請求項１に記載の前記検知装置が、請求項１０に記載の前記検知方法のステップを実施させるためのプログラムコード手段を有する、対象物を検知するためのコンピュータプログラム。
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
タービン（１２）と、そのタービン（１２）によって直接駆動されて、ある１つの運転周波数の交流電力を発生する発電機（１８）とからなる発電所設備（１０）において、その発電機（８、１８）を、１つの周波数変換器（２７）と少なくとも１つの昇圧変圧器（３、４）とを介して、第１の運転周波数を有する第１の電気回路網（１）または第２の運転周波数を有する第２の電気回路網（２）に選択的に接続でき、
周波数変換器（２７）は、発電機（８、１８）と昇圧変換器（３、４）の間に配置されていることを特徴とする発電所設備（１０）。
【請求項２】
前記少なくとも１つの昇圧変圧器（２７）によって、前記第１の電気回路網（１）に接続する場合には、発電機（８、１８）および第１の回路網（１）の間の第１の電圧比が課せられ、前記第２の回路網（２）に接続する場合には、発電機（８、１８）および第２の回路網（２）の間の第２の電圧比が課せられる、ことを特徴とする請求項１に記載の発電所設備（１０）。
【請求項３】
前記第１の電気回路網（１）との接続用として、第１の電圧比を有する第１の昇圧変圧器（３）が、発電機および第１回路網（１）の間に配置され、前記第２の回路網（２）との接続用として、第２の電圧比を有する第２の昇圧変圧器（４）が、発電機（８、１８）および第２回路網（２）の間に配置される、ことを特徴とする請求項１に記載の発電所設備（１０）。
【請求項４】
前記周波数変換器（２７）がマトリックスコンバータとして構成される、ことを特徴とする請求項１〜３のいずれか一項に記載の発電所設備（１０）。
【請求項５】
前記発電所設備（１０）が、入力周波数に対して設計された少なくとも１つの局所的な中電圧回路網（５４）を利用し得るように備えており、この少なくとも１つの中電圧回路網（５４）に給電するために、少なくとも１つの補助変圧器（４２）を、選択的に直接的にまたは補助周波数変換器（４１）を介して、前記周波数変換器（２７）の出力側に接続できる、ことを特徴とする請求項１〜４のいずれか一項に記載の発電所設備（１０）。
【請求項６】
前記発電所設備（１０）が少なくとも１つの局所的な中電圧回路網（５４）を利用し得るように備えており、この少なくとも１つの中電圧回路網（５４）に給電するために、少なくとも１つの補助変圧器（４２）を、直接的に前記第１昇圧変圧器（３）に、および／または、補助周波数変換器（４１）を介して前記第２昇圧変圧器（４）に接続できる、ことを特徴とする請求項１〜４のいずれか一項に記載の発電所設備（１０）。
【請求項７】
それぞれ少なくとも１つの発電機（８、１８）を備えた少なくとも２つの軸系（１１、１１’）が配置され、その発電機（８、１８）のそれぞれを、１つの周波数変換器（２７）と少なくとも１つの回路網高電圧開閉器（２１）と少なくとも１つの昇圧変圧器（３、４）とを介して、前記第１の運転周波数を有する前記第１の電気回路網（１）または前記第２の運転周波数を有する前記第２の電気回路網（２）に選択的に接続できる、ことを特徴とする請求項１〜６のいずれか一項に記載の発電所設備（１０）。
【請求項８】
前記発電所設備（１０）が、少なくとも１つのガスタービン（１２）および少なくとも１つの蒸気タービン（２４）を有する複合サイクル発電所として構成され、これらのタービン（１２、２４）の前記発電機（８、１８）は、互いに独立に、前記第１回路網（１）または前記第２回路網（２）に選択的に接続できるように配置される、ことを特徴とする請求項７に記載の発電所設備（１０）。
【請求項９】
請求項１〜８のいずれか一項に記載の発電所設備（１０）の運転方法において、前記周波数変換器（２７）が、前記第１の電力回路網（１）に配電するために、前記第１の回路網周波数の出力電流を発生するように制御され、さらに、前記周波数変換器（２７）は前記第１昇圧変圧器（３）を介して前記第１電力回路網（１）に接続されること、
あるいは、前記周波数変換器（２７）が、前記第２の電力回路網（２）に配電するために、前記第２の回路網周波数の出力電流を発生するように制御され、さらに、前記周波数変換器（２７）は前記第２昇圧変圧器（４）を介して前記第２電力回路網（２）に接続されること、を特徴とする方法。
【請求項１０】
請求項９に記載の発電所設備（１０）の運転方法において、前記周波数変換器（２７）を前記第１回路網（１）に接続する場合には、前記発電所の補助システムへの給電用としての前記局所的な中電圧回路網（５４）が、補助変圧器（４２）を介して前記高電圧回路網（５）から給電されること、
および、前記第２回路網（２）に接続する場合には、前記発電所の前記補助システムへの給電用としての前記局所的な中電圧回路網（５４）が、補助周波数変換器（４１）および前記補助変圧器（４２）を介して接続されること、を特徴とする方法。
【請求項１１】
請求項９に記載の発電所設備（１０）の運転方法において、前記周波数変換器（２７）を前記第１回路網（１）に接続する場合には、前記発電所の前記補助システムへの給電用としての前記局所的な中電圧回路網（５４）が、入力周波数および出力周波数が等しくなるように制御される補助周波数変換器（４１）を介して接続されること、
および、前記第２回路網（２）に接続する場合には、発電所の補助システムへの給電用としての前記局所的な中電圧回路網（５４）が、出力周波数が前記第１の周波数に等しくなるように制御される補助周波数変換器（４１）を介して接続されること、を特徴とする方法。
【請求項１２】
請求項９〜１１のいずれか一項に記載の発電所設備（１０）の運転方法において、前記第１回路網（１）への送電を前記第２回路網（２）への送電に切り換えるために、あるいはその逆に切り換えるために、タービンが負荷から切り離され、発電機開閉器（６）が開かれ、続いて、前記周波数変換器（２７）が新しい回路網周波数に同期され、前記発電機開閉器（６）が閉じられ、引き続いてタービンが再度負荷運転される、ことを特徴とする方法。
【請求項１３】
請求項１２に記載の発電所設備（１０）の運転方法において、前記補助システムへの給電用の前記補助変圧器（４２）が、前記切り換え段階の間、前記第１昇圧変圧器（３）を介して前記第１回路網（１）から直接電力供給され、かつ、並行して、前記第２昇圧変圧器（４）および前記補助周波数変換器（４１）を介して電力供給される、ことを特徴とする方法。
【請求項１４】
請求項１３に記載の発電所設備（１０）の運転方法において、前記補助システムへの電力供給を並行的に同時接続する前に、前記補助周波数変換器（４２）の出力周波数が前記第１回路網（１）の周波数に同期される、ことを特徴とする方法。
【請求項１５】
請求項９〜１４のいずれか一項に記載の発電所設備（１０）のガスタービン（１２）の運転方法において、前記ガスタービン（１２）を始動させるために、前記発電所の高電圧回路網（５）が前記第１回路網（１）または前記第２回路網（２）に選択的に接続され、前記発電機（８）が、始動モータとして運転されかつ前記周波数変換器（２７）を介して制御される、ことを特徴とする方法。
【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
生物抽出物に含まれる酵素の活性を低下させることなく、高圧処理後の固体含有生物抽出物の高い生物活性の適用下で、酵素、タンパク質およびペプチドから選択される、生物活性を示す少なくとも１種類の有効成分またはそのような有効成分の混合物を含む固体含有生物抽出物を調製することにより、固体含有生物抽出物のウイルスおよび微生物含有量を低減する方法であって、
その際、高圧処理後の固体含有生物抽出物の生物活性が、高圧処理前の固体含有生物抽出物の生物活性の少なくとも５０％又は少なくとも９０％に相当し、そして、高圧処理後における固体含有生物抽出物のウイルス感染性が、高圧処理前のウイルス感染性に比較して、１ｌｏｇ１０超又は３ｌｏｇ１０超又は４ｌｏｇ１０超の減少率まで低減され、抽出物の病原体含有量が、検出限界未満または５００ＫＢＥ／ｇ未満であり、
（ａ）ブタから取り出した膵腺をまず細かく刻み、自己消化(オートリシス)にかける；
（ｂ）ステップ（ａ）において得られた中間産物を濾過することにより、濾過液の重量に対する固体の割合が約５重量％の濾過液を得る；
（ｃ）濾過液中に存在する酵素を次いで沈殿させ；
（ｄ）ステップ（ｃ）の混合物を濾過し、固体の割合が約５０％の濾過ケークを得る；
（e）ステップ（ｄ）で得られた濾過ケークを続いて磨砕し、真空乾燥し、再び磨砕して、パンクレアチンを得る；
（ｆ）ステップ（ｂ）で得られた濾過液に
または
（ｆ１）ステップ（ｂ）で得られた濾過ケークに
または
（ｆ２）ステップ（ｂ）で得られた濾過液及びステップ（ｂ）で得られた濾過ケークに
（ｇ）１〜６０分間、−２０℃〜３０℃の温度、好ましくは−１０℃〜２０℃の温度で、１０００〜８０００ｂａｒの範囲の圧力で、特に４０００、５０００および６０００ｂａｒの圧力下で、特に、一定の圧力下でまたはパルス圧力により高圧処理を行い、
（ｆ）ステップ（ｅ）で得られた濾過ケークに、１〜６０分間、−２０℃〜３０℃の温度、好ましくは−１０℃〜２０℃の温度で、１０００〜８０００ｂａｒの範囲の圧力で、特に４０００、５０００および６０００ｂａｒの圧力下で、特に、一定の圧力下でまたはパルス圧力により高圧処理を行い、
（ｇ）ステップ（ｆ）で得られた濾過ケークを続いて磨砕し、真空乾燥し、再び磨砕して、パンクレアチンを得る；
ステップを含むことを特徴とする方法。
【請求項２】
固体含有生物抽出物が、液相および前記液相中に分散する固体微粒子を含む懸濁液として調製され、生物活性を示す有効成分の前記混合物は一部が液相に溶解し他の一部が固体微粒子に結合していることを特徴とする、請求項１に記載の方法。
【請求項３】
固体含有生物抽出物が固体状に調製されることを特徴とする、請求項１又は２に記載の方法。
【請求項４】
固体含有生物抽出物が動物の器官又はブタの膵臓から得られたものであることを特徴とする、請求項１〜３のいずれか一つに記載の方法。
【請求項５】
固体含有生物抽出物を高圧処理前に濾過ステップにかけ、それにより濾過液および濾過ケークを得、前記濾過ケークを高圧処理にかけて、濾過ケークが、前記濾過ケークの重量に対して少なくとも４０重量％の固体割合を有することを特徴とする、請求項１〜４のいずれか一項に記載の方法。
【請求項６】
生物活性を示す有効成分の少なくとも１種類が酵素である場合、高圧処理後の固体含有生物抽出物の酵素活性が、高圧処理前の固体含有生物抽出物の酵素活性の少なくとも５０％であることを特徴とする、請求項１〜５のいずれか一つに記載の方法。
【請求項７】
生物活性を示す有効成分の少なくとも１種類が酵素である場合、高圧処理後の固体含有生物抽出物の酵素活性が、高圧処理前の固体含有生物抽出物の酵素活性の＞８０％であることを特徴とする、請求項１〜６のいずれか一つに記載の方法。
【請求項８】
高圧処理後の、固体含有生物抽出物中の有毒物質の含有量が、処理前より大きくならないことを特徴とする、請求項１〜７のいずれか一つに記載の方法。
【請求項９】
高圧処理後の、非胞子形成体による病原体含有量が、検出限界未満または５０ＫＢＥ／ｇ未満であることを特徴とする、請求項１〜８のいずれか一つに記載の方法。
【請求項１０】
高圧処理後の固体含有生物抽出物の高い生物活性の適用下で抽出物に含まれる酵素の活性を低下させることなく、ウイルスおよび微生物の含有量が低減された、酵素、タンパク質およびペプチドから選択される、生物活性を示す少なくとも１種類の有効成分またはそのような有効成分の混合物を含む固体含有生物抽出物であって、
高圧処理後の固体含有生物抽出物の生物活性が、高圧処理前の固体含有生物抽出物の生物活性の少なくとも５０％又は少なくとも９０％に相当し、そして、高圧処理後における固体含有生物抽出物のウイルス感染性が、高圧処理前のウイルス感染性に比較して、１ｌｏｇ１０超又は３ｌｏｇ１０超又は４ｌｏｇ１０超の減少率まで低減され、抽出物の病原体含有量が、検出限界未満または５００ＫＢＥ／ｇ未満であり、
（ａ）ブタから取り出した膵腺をまず細かく刻み、自己消化(オートリシス)にかける；
（ｂ）ステップ（ａ）において得られた中間産物を濾過することにより、濾過液の重量に対する固体の割合が約５重量％の濾過液を得る；
（ｃ）濾過液中に存在する酵素を次いで沈殿させ；
（ｄ）ステップ（ｃ）の混合物を濾過し、固体の割合が約５０％の濾過ケークを得る；
（e）ステップ（ｄ）で得られた濾過ケークを続いて磨砕し、真空乾燥し、再び磨砕して、パンクレアチンを得る；
（ｆ）ステップ（ｂ）で得られた濾過液に
または
（ｆ１）ステップ（ｂ）で得られた濾過ケークに
または
（ｆ２）ステップ（ｂ）で得られた濾過液及びステップ（ｂ）で得られた濾過ケークに
（ｇ）１〜６０分間、−２０℃〜３０℃の温度、好ましくは−１０℃〜２０℃の温度で、１０００〜８０００ｂａｒの範囲の圧力で、特に４０００、５０００および６０００ｂａｒの圧力下で、特に、一定の圧力下でまたはパルス圧力により高圧処理を行い、
（ｆ）ステップ（ｅ）で得られた濾過ケークに、１〜６０分間、−２０℃〜３０℃の温度、好ましくは−１０℃〜２０℃の温度で、１０００〜８０００ｂａｒの範囲の圧力で、特に４０００、５０００および６０００ｂａｒの圧力下で、特に、一定の圧力下でまたはパルス圧力により高圧処理を行い、
（ｇ）ステップ（ｆ）で得られた濾過ケークを続いて磨砕し、真空乾燥し、再び磨砕して、パンクレアチンを得る；
ステップを含む方法によって得られる抽出物。
【請求項１１】
抽出物がブタの膵臓から得られた抽出物であることを特徴とする、請求項１０に記載の固体含有生物抽出物。
【請求項１２】
食品もしくは食料品または栄養補助食品としての、請求項１０又は１１に記載の固体含有生物抽出物の使用。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
対象における疾患状態を評価する方法であって：
（ａ）前記対象から得られた生物サンプルについての核磁気共鳴データを取得すること；
（ｂ）前記核磁気共鳴データに対して統計分析を行うこと；
（ｃ）前記統計分析に基づき前記生物サンプルについての対象プロファイルを決定すること；
（ｄ）前記対象プロファイルと、
（ｉ）疾患状態および非疾患状態、
（ｉｉ）第一の疾患状態および第二の疾患状態、または、
（ｉｉｉ）前記第一の疾患状態、前記第二の疾患状態、および前記非疾患状態、
を識別するための所定のプロファイルと、を比較して、疾患状態の評価を提供すること、
を含み、前記比較は前記生物サンプルの成分の同定を含まない、前記方法。
【請求項２】
工程（ｂ）の前記統計分析が、主成分分析、判別分析、判別分析を伴う主成分分析、部分最小二乗法、判別分析を伴う部分最小二乗法、正準相関、カーネル主成分分析、非線形主成分分析、因子分析、多次元尺度構成法、およびクラスター分析から成る群より選択される多変量統計分析である、請求項１に記載の方法。
【請求項３】
前記所定のプロファイルが、疾患対象および非疾患対象から得られた複数の生物サンプルの前記ｘ，ｙ‐トレースの統計分析に基づくものであり、ｘおよびｙの値が、
（ｉ）前記疾患状態および前記非疾患状態
（ｉｉ）前記第一の疾患状態および前記第二の疾患状態、または、
（ｉｉｉ）前記第一の疾患状態、前記第二の疾患状態、および前記非疾患状態、
を識別することができる前記ｘ，ｙ‐トレースのスペクトル領域の組み合わせの範囲内である、請求項２に記載の方法。
【請求項４】
疾患対象および非疾患対象から得られた前記複数の生物サンプルのｘ，ｙ‐トレースの前記統計分析が、主成分分析、判別分析、判別分析を伴う主成分分析、部分最小二乗法、判別分析を伴う部分最小二乗法、正準相関、カーネル主成分分析、非線形主成分分析、因子分析、多次元尺度構成法、およびクラスター分析から成る群より選択される多変量統計分析である、請求項３に記載の方法。
【請求項５】
前記対象からの前記生物サンプル、ならびに疾患対象および非疾患対象から得られた前記複数の生物サンプルが、尿サンプルである、請求項４に記載の方法。
【請求項６】
前記疾患状態が、呼吸器疾患である、請求項５に記載の方法。
【請求項７】
前記呼吸器疾患が、慢性閉塞性肺疾患、喘息、急性気管支炎、慢性気管支炎、および細気管支炎から成る群より選択される、請求項６に記載の方法。
【請求項８】
前記呼吸器疾患が喘息である、請求項７に記載の方法。
【請求項９】
前記第一の疾患状態が慢性安定喘息であり、前記第二の疾患状態が増悪喘息である、請求項８に記載の方法。
【請求項１０】
前記対象プロファイルおよび前記所定のプロファイルの各々が、多変量統計分析を用いて決定されたスコアプロットである、請求項１に記載の方法。
【請求項１１】
請求項１から１０のいずれか１項に記載の方法を実施するための指示を含むコンピュータ読み取り可能な媒体。
【請求項１２】
対象における喘息の疾患状態を評価する方法であって：
（ａ）対象から得られた生物サンプル中の、フェニルアラニン、２‐オキソグルタラート、１‐メチルニコチンアミド、スレオニン、Ｏ‐アセチルカルニチン、１‐メチルヒスタミン、スクシナート、２‐ヒドロキシイソブチラート、キヌレニン、トリメチルアミンｎ‐オキシド、トリプトファン、イエロー‐７．１（ｙｅｌｌｏｗ‐７．１）、ホモバニラート、アデノシン、メチルアミン、４‐アミノヒプラート、カルニチン、アデニン、３‐メチルアジパート、ヒプラート、４‐ピリドキサート、トリゴネリン、およびチロシンの各々の濃度を測定すること；
（ｂ）（ａ）で得られた濃度値に対して統計分析を行うこと；
（ｃ）前記統計分析に基づき前記生物サンプルについての喘息状態プロファイルを決定すること；
（ｄ）喘息状態プロファイルと、慢性安定喘息および非疾患状態を識別するための所定のプロファイルと、を比較すること、
を含む、方法。
【請求項１３】
前記所定のプロファイルが、慢性安定喘息患者および非疾患対象から得られた複数の生物サンプルの各々におけるフェニルアラニン、２‐オキソグルタラート、１‐メチルニコチンアミド、スレオニン、Ｏ‐アセチルカルニチン、１‐メチルヒスタミン、スクシナート、２‐ヒドロキシイソブチラート、キヌレニン、トリメチルアミンｎ‐オキシド、トリプトファン、イエロー‐７．１、ホモバニラート、アデノシン、メチルアミン、４‐アミノヒプラート、カルニチン、アデニン、３‐メチルアジパート、ヒプラート、４‐ピリドキサート、トリゴネリン、およびチロシンの各々の濃度値の統計分析に基づくものである、請求項１に記載の方法。
【請求項１４】
工程（ｂ）の前記統計分析が、主成分分析、判別分析、判別分析を伴う主成分分析、部分最小二乗法、判別分析を伴う部分最小二乗法、正準相関、カーネル主成分分析、非線形主成分分析、因子分析、多次元尺度構成法、およびクラスター分析から成る群より選択される多変量統計分析である、請求項１または１３に記載の方法。
【請求項１５】
前記慢性安定喘息患者および前記非疾患対象の各々から得られた前記複数の生物サンプルの各々におけるフェニルアラニン、２‐オキソグルタラート、１‐メチルニコチンアミド、スレオニン、Ｏ‐アセチルカルニチン、１‐メチルヒスタミン、スクシナート、２‐ヒドロキシイソブチラート、キヌレニン、トリメチルアミンｎ‐オキシド、トリプトファン、イエロー‐７．１、ホモバニラート、アデノシン、メチルアミン、４‐アミノヒプラート、カルニチン、アデニン、３‐メチルアジパート、ヒプラート、４‐ピリドキサート、トリゴネリン、およびチロシンの各々の前記濃度値の前記統計分析が、主成分分析、判別分析、判別分析を伴う主成分分析、部分最小二乗法、判別分析を伴う部分最小二乗法、正準相関、カーネル主成分分析、非線形主成分分析、因子分析、多次元尺度構成法、およびクラスター分析から成る群より選択される多変量統計分析である、請求項１４に記載の方法。
【請求項１６】
前記対象からの前記生物サンプル、ならびに慢性安定喘息患者および非疾患対象から得られた前記複数の生物サンプルが、尿サンプルである、請求項１５に記載の方法。
【請求項１７】
前記喘息状態プロファイルおよび前記所定のプロファイルの各々が、多変量統計分析を用いて決定されたスコアプロットである、請求項１に記載の方法。
【請求項１８】
請求項１から１７のいずれか１項に記載の方法を実施するための指示を含むコンピュータ読み取り可能な媒体。
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
ガスタービン（１２）によって直接駆動される、運転周波数で交流電流を発生する発電機（１８）を具備し、この発電機が所定の配電網周波数（Ｆ）を有する配電網（２１）に周波数結合されて接続されており、コントローラあるいは計算機と、調節可能な圧縮機案内羽根（ＶＧＶ）のアクチュエータと、調節可能な圧縮機案内羽根（ＶＧＶ）の角度位置のセンサと、配電網周波数の測定装置と、データ伝送装置とを含んでいるガスタービン（１２）において、
調節可能な圧縮機案内羽根（ＶＧＶ）の調整装置が、不足周波数事象に依存して前記調節可能な圧縮機案内羽根（ＶＧＶ）を十分な速度で閉鎖可能であるので、前記配電網（２１）の不足周波数事象の際に圧縮機（１３）のサージ限界に対する余裕が維持されたままであることを特徴とするガスタービン。
【請求項２】
前記調節可能な圧縮機案内羽根（ＶＧＶ）の調整速度が５°／秒よりも大きいことを特徴とする請求項１に記載のガスタービン。
【請求項３】
前記調節可能な圧縮機案内羽根（ＶＧＶ）の調整速度が１０°／秒よりも大きいことを特徴とする請求項１に記載のガスタービン。
【請求項４】
前記調節可能な圧縮機案内羽根（ＶＧＶ）のアクチュエータが１０°／秒よりも速く運転可能であることを特徴とする請求項１〜３のいずれか一項に記載のガスタービン。
【請求項５】
１０°／秒の角速度よりも速い調整のための前記調節可能な圧縮機案内羽根（ＶＧＶ）の制御回路が、アクチュエータ、角度位置のセンサ、前記調節可能な圧縮機案内羽根（ＶＧＶ）およびコントローラを備えていることを特徴とする請求項１〜３のいずれか一項に記載のガスタービン。
【請求項６】
請求項１〜５のいずれか一項に記載のガスタービン（１２）を運転するための方法において、
周囲条件に依存して、許容される機械的回転数（ｎｍｅｃｈ）の動的限界（２）が定められ、この限界を下回るときに前記調節可能な圧縮機案内羽根（ＶＧＶ）がＶＧＶ不足周波数位置（ＶＧＶＵ）まで閉鎖され、この場合サージ限界に対する余裕が維持されたままであることを特徴とする方法。
【請求項７】
許容される前記機械的回転数（ｎｍｅｃｈ）の前記動的限界（２）が前記調節可能な圧縮機案内羽根（ＶＧＶ）の位置に依存して定められることを特徴とする請求項６に記載の方法。
【請求項８】
許容される前記機械的回転数（ｎｍｅｃｈ）の前記動的限界（２）が前記周囲条件に依存して定められることを特徴とする請求項６または７に記載の方法。
【請求項９】
ＶＧＶの急速動作中または急速動作後の燃料流量が、前記調節可能な圧縮機案内羽根（ＶＧＶ）の不足周波数位置（ＶＧＶＵ）までパイロット制御によって低減されることを特徴とする請求項６〜８のいずれか一項に記載の方法。
【請求項１０】
許容される前記機械的回転数（ｎｍｅｃｈ）の前記動的限界（２）が周囲因子（ａＦ）の関数として求められることを特徴とする請求項６〜９のいずれか一項に記載の方法。
【請求項１１】
前記周囲因子（ａＦ）が、１と、等エントロピー指数（κ）、気体定数（Ｒ）および圧縮機入口温度（Ｔ）の積の平方根との商として計算されることを特徴とする請求項８に記載の方法。
【請求項１２】
前記周囲因子（ａＦ）が吸い込み空気の圧縮機入口温度（Ｔ）と相対空気湿度の関数として概算されることを特徴とする請求項８に記載の方法。
【請求項１３】
前記周囲因子（ａＦ）が圧縮機入口温度（Ｔ）の関数として概算されることを特徴とする請求項８に記載の方法。
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
少なくとも１つのネジ部、第１端部及び該第１端部に対向する第２端部を有する支持部材と、
該支持部材に取り付けられ、前記支持部材の少なくとも１つのネジ部に沿って移動可能なカラーであって、第１方向への回転によって前記支持部材に沿って略上方へ移動し、前記第１方向とは反対側の第２方向への回転によって略下方へ移動し、これらの回転によって、前記支持部材の第１端部隣接位置から第２端部隣接位置まで移動可能なカラーと、
該カラーに取り付けられるか又は配置され、少なくとも１つの物体を保持する大きさ及び形状に作られた少なくとも１つのアームアッセンブリとを具える、支持装置。
【請求項２】
少なくとも１つのアームアッセンブリは、カラーに配置された複数のアーム支持体に取り付けられて第１アームアッセンブリと第２アームアッセンブリとを含んでいる、請求項１の支持装置。
【請求項３】
少なくとも１つのアームアッセンブリは、第１端部及び第２端部を有する第１リンケージと、第１端部及び第２端部を有する第２リンケージとを具えており、第１端部及び第２端部を有する第２リンケージとを有しており、第１リンケージは、第１端部が第２リンケージの第１端部に回動可能に取り付けられ、第２リンケージの少なくとも一部を受け入れることができる大きさ及び形状に作られた凹部を有しており、第２リンケージは、前記凹部に隣接する少なくとも一つの位置へ移動可能である、請求項１の支持装置。
【請求項４】
少なくとも１つのアームアッセンブリに取り付けられた摩擦調節機構を更に具えている、請求項１の支持装置。
【請求項５】
摩擦調節機構は、少なくとも１つの物体の傾斜軸を画定する軸に隣接して配置された複数の摩擦惹起部材を具えており、該摩擦惹起部材は、少なくとも１つの物体が傾斜軸の周りを移動する間、摩擦力を加えることができる大きさ及び形状に作られている、請求項４の支持装置。
【請求項６】
摩擦調節機構は、摩擦惹起部材に隣接して配置された回転可能部材を更に具えており、該回転可能部材は第１方向及び第２方向へ回転可能に構成され、回転可能部材の第１方向への回転により摩擦力が増大し、第２方向への回転により摩擦力が減少する、請求項５の支持装置。
【請求項７】
摩擦調節機構は、可動ローブと、取付具に取り付けられた固定ローブとの間に配置されたリンケージを具えており、固定ローブは、リンケージの第１表面に係合する第１表面を有し、可動ローブは、リンケージの第２表面に係合する第１表面を有する、請求項４の支持装置。
【請求項８】
摩擦調節機構は、可動ローブに形成された開口及びリンケージに形成された開口を通って延びる回転可能部材を更に具えており、該回転可能部材は、可動ローブ及びリンケージのうち少なくとも１つに対して移動可能である、請求項７の支持装置。
【請求項９】
少なくとも１つのアームアッセンブリは、可動ローブと、取付具に取り付けられた固定ローブとの間に配置されたリンケージを具え、固定ローブは、リンケージの第１表面に係合する第１表面を有し、可動ローブは、リンケージの第２表面に係合する第１表面を有しており、
前記少なくとも１つのアームアッセンブリは、可動ローブに形成された開口及びリンケージに形成された開口を通って延びる回転可能部材を更に具え、回転可能部材の移動により、可動ローブがリンケージに対して移動したときに生じる摩擦力を調節することができる、請求項１の支持装置。
【請求項１０】
少なくとも１つのアームアッセンブリは、カラーに配置されたアームに取り付けられた取付具を具えており、該取付具は、ツールを受け入れることができる大きさ及び形状に作られた溝を有する、請求項１の支持装置。
【請求項１１】
支持部材は、第１端部と該第１端部に対向する第２端部とを有し、少なくとも１つのネジ部は、支持部材に形成されて、支持部材の第１端部に隣接する位置から第２端部に隣接する位置までの螺旋経路に沿って延びる溝である、請求項１の支持装置。
【請求項１２】
カラーは、少なくとも１つのネジ部と係合する大きさ及び形状に作られた少なくとも１つの突起を含んでいる、請求項１の支持装置。
【請求項１３】
少なくとも１つのネジ部は、支持部材に形成された溝であり、少なくとも１つの突起は、該溝の中に嵌まり溝の内を摺動できる大きさに作られている、請求項１２の支持装置。
【請求項１４】
カラーは、第１部分が第２部分に取り付けられ、少なくとも１つの突起は第１部分から延在しており、第１部分は金属又はエラストマー材料から形成され、第２部分はエラストマー材料から形成される、請求項１２の支持装置。
【請求項１５】
凹部は、該凹部と第１リンケージの第１端部との間に空隙を画定する、請求項３の支持装置。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
触媒粒子及び触媒細粒を含む触媒組成物で構成されたスラリーをクロスフロー分級デバイス中に導入することと、
前記スラリーから前記触媒細粒を除去して残余分を形成することと、
前記残余分から分級触媒組成物を回収することと、
を含む、分級触媒組成物を製造するプロセス。
【請求項２】
１重量％未満のＦ１０．５値を有する分級触媒組成物を回収することを含む、請求項１に記載のプロセス。
【請求項３】
前記触媒粒子を研磨することを含む、請求項１または２に記載のプロセス。
【請求項４】
触媒組成物のスラリーをクロスフロー分級して残余分を形成することと、
分級触媒組成物を前記残余分から回収することと、
前記分級触媒組成物をオレフィンと重合条件下で接触させることと、
ポリオレフィン組成物を形成することと、
を含む、重合プロセス。
【請求項５】
約０．１重量％〜約２重量％のＦ２５０値を有するポリオレフィン組成物を形成することを含む、請求項４に記載の重合プロセス。
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
感圧性接着剤層と、
前記感圧性接着剤層に接触している剥離層であって、ポリオレフィンブロックコポリマーを含む、剥離層と、を含み、前記接着剤層と前記剥離層との間の界面が構造化界面である、接着剤物品。
【請求項２】
前記剥離層が、ポリジオルガノシロキサンポリオキサミドリニアブロックコポリマーを更に含む、請求項１に記載の接着剤物品。
【請求項３】
前記ポリオレフィンブロックコポリマーが、１２０℃の融点を有する、請求項１に記載の接着剤物品。
【請求項４】
第１の表面上にポリオレフィンブロックコポリマーを有する剥離ライナを提供する工程と、
前記剥離ライナの前記第１の表面を構造化する工程と、を含む、剥離ライナの製造方法。
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
スルホニルアジド基ではないアジド基を１つ以上含むフルオロポリマーを調製する方法であって、１つ以上の脱離基を含むフルオロポリマーの溶液又は分散液と、有効量のアジド化合物とを反応させる工程を含み、
前記アジド化合物は、下記式
Ｍ（Ｎ３）ｎ
（式中、Ｍは、金属カチオンを含む一価又は多価カチオン、又はアンモニウム基、又はＨ、又はハロゲン、又は擬ハロゲンを表し、ｎは、カチオンの価数に相当する）
で表される化合物である、方法。
【請求項２】
スルホニルアジド基ではないアジド基を１つ以上含むフルオロポリマーを調製する方法であって、アジド化合物の存在下で重合を実施する工程を含み、
前記アジド化合物は、下記式
Ｍ（Ｎ３）ｎ
（式中、Ｍは、金属カチオンを含む一価又は多価カチオン、又はアンモニウム基、又はＨ、又はハロゲン、又は擬ハロゲンを表し、ｎは、カチオンの価数に相当する）
で表される化合物である、方法。
【請求項３】
硬化性エラストマーを硬化することによって調製される硬化したフルオロポリマーを含む物品であって、前記硬化性エラストマーは、スルホニルアジド基ではないアジド基を１つ以上含むフルオロポリマーである物品。